(57)【要約】要約課題  「商品としての装飾的な月めくりカレンダー」で月々のカレンダーの紙を切り離さないままで、また「装飾的な年間一枚のカレンダー」は画鋲で壁や板等に張り付けないで、カレンダーを購入した状態を維持しながら使用することで、カレンダーそのものを全く損傷させることなく、カレンダーの役目を果たし、そのファンの人々、それを趣味にしている人々が楽しめるようにすることである。解決手段  「商品としての装飾的なカレンダー」の金属部分のところを利用し、また補助部品を使用して、吊り下げる専用のハンガーの発明である。  それは、「壁掛け部Ａ」と「折り返し空間部Ｂ」そして「吊り下げ部Ｃ」の三部位から構成されている構造をしている専用のハンガーである。  この専用ハンガーを使用することにより、カレンダーとしての役目を果たし、そのファンの人々、それを趣味にしている人々が楽しめることになった。【特許請求の範囲】
【請求項１】
「商品の装飾的な月めくりカレンダー」を吊り下げるハンガーである「カレンガー」（この名称は商標である）は、「壁掛け部（Ａ）」（図９）と「折り返し空間部（Ｂ）」（図９）そして「吊り下げ部（Ｃ）」（図９）から構成されている。「壁掛け部（Ａ）」は壁や板等に掛ける為の部位で中央に丸い穴のある「壁掛け金具（１０）」がある。「折り返し空間部（Ｂ）」は月めくりカレンダーの紙を空間に通し折り返して後ろへ垂れ下げる為の部位である。「吊り下げ部（Ｃ）」は「商品の装飾的な月めくりカレンダー」を引っ掛けて固定する為の部位である。主要な構造は「折り返し空間部（Ｂ）」に「折り返し空間（３０）」ができるように加工してある構造と「吊り下げ部（Ｃ）」に適切な加工がしてあり、「専用吊り具」と組合せてカレンダーの留め具のどのような型式にも対応する構造である。「吊り下げ部（C）」には「吊り下げ交換部品（２Ａ）」と「吊り下げ交換部品（２Ｂ）」があり、「吊り下げ部（Ｃ）」が好みに応じて交換可能な構造である。「吊り下げ交換部品（２Ａ）」は「吊り下げ支持部品（２２）」が取り付けてあり、「専用吊り具（４）」又は「専用吊り具（５）」を使用して、金属留め具と紙製留め具のも対応可能である。「吊り下げ交換部品（２Ｂ）」は「吊り下げ支持部品（２５）」が取り付けてあり、「専用吊り具（６）」を使用して、紙製留め具に対応可能である。「壁掛け部（Ａ）」と「吊り下げ空間部（Ｂ）」そして「吊り下げ部（Ｃ）」は、「木ネジ（１４）」（図１０）で接合されていて、分解収納が可能である。「壁掛け部（Ａ）」は、「折り返し空間部（Ｂ）」の「折り返し空間板部材（１２）」（図３）を「折り返し空間板部材（５５）」（図４２）に交換して「紐状（６１）」（図４４）や「鎖状（７１）」（図４５）のものに交換可能な構造である。「壁掛け部（Ａ）」と「折り返し空間部（Ｂ）」そして「吊り下げ部（Ｃ）」は「吊り下げ交換部品（２Ａ）」（図５）又は「吊り下げ交換部品（２Ｂ）」「図６」の組み合わせの三部位から構成されている構造である「カレンガー本体１」を特徴とする「カレンガー」である。  材料は、圧縮した硬い紙材、木材、金属類、プラスチック、セラミックス、その他の硬い材料等を使用し、その材料等の組み合わせを含むものとする。請求項１の製造方法を含む。
【請求項２】
「吊り下げ部（Ｃ）」の「吊り下げ交換部品（３Ａ）または（３Ｂ）」（図７、図８）は、「吊り下げ交換部品（２Ａ）又は（２Ｂ）」（図５、図６）と交換可能である。「吊り下げ交換部品（３Ａ）又は（３Ｂ）」は、一体型で横の側面からカレンダーをスライドさせてセットする構造である。「吊り下げ交換部品（３Ａ）と（３Ｂ）」は、「カレンダーの留め具」により、その留め具に合う「専用吊り具」を使用する為に、「専用吊り具」を適切に支持できるように「吊り下げ支持部品（２２）又は（２５）」が取り付けてある。「吊り下げ交換部品（３Ａ）」は「専用吊り具（４）」又は「専用吊り具（５）」を使用して、金属製留め具と紙製留め具にも対応可能である。「吊り下げ交換部品（３Ｂ）」は「専用吊り具（６）」を使用して紙製留め具に対応可能である。図４６以降が「カレンガー本体（１０１）」として「吊り下げ部（Ｃ）」の「吊り下げ交換部品（３Ａ）又は（３Ｂ）」と組み合わせした構成である。請求項１に記載の「カレンガー」で「カレンガー本体（１）」の「吊り下げ部（Ｃ）」を構成する「吊り下げ交換部品」である。材料は圧縮した硬い紙材、木材、金属類、プラスチック、セラミックス、その他の硬い材料等を使用する。請求項２の製造方法を含む。
【請求項３】
「専用吊り具（４）」（図２３）は「商品の装飾的な月めくりカレンダー」を直接に引っ掛けて吊り下げるものであり、そのカレンダーを引っ掛けて吊り下げた状態（図３３）のままで、カレンガー本体の「吊り下げ部（Ｃ）」の「吊り下げ支持部品（２２）」（図１４）の凸加工してあるころに嵌め込み引っ掛けることにより固定ができる。「専用吊り具（４）」は、金属製留め具とバインダー（樹脂製）留め具、そして、「吊り下げ補助部品（７）」にも対応可能である。「専用吊り具（４）」は「セットするカレンダーのサイズ」に適合するように加工したものであり、サイズを選択することができる。この「専用吊り具（４）」は前述の通り、横から見ると変形のＺ型文字の形をしているもので基本的には「商品の装飾的な月めくりカレンダー」の幅と同等の長さであることを特徴とする請求項１に記載の「カレンガー」である。材料は圧縮
した硬い紙材、木材、金属類、プラスチック、セラミックス、その他の硬い材料等を使用する。
請求項３の製造方法を含む。
【請求項４】
「専用吊り具（５）」（図２６）は、「商品の装飾的な月めくりカレンダー」を直接に吊り下げるものであり、「固定ピン（５ａ）」で固定する。そのカレンダーを吊り下げた状態（図３４）のままで、カレンダー本体の「吊り下げ部（Ｃ）」の［吊り下げ支持部品２２」（図１４）の凸加工してあるところに嵌め込み引っ掛けることにより固定ができる（図５７も参照）。この「専用吊り具（５）」を使用することで、「商品の装飾的な月めくりカレンダー」の紙製留め具用ハンガーとしても利用できるようにしたことを特徴とする請求項１に記載の「カレンガー」である。材料は圧縮した硬い紙材、木材、金属類、プラスチック、セラミックス、その他の硬い材料等を使用する。請求項４の製造方法を含む。
【請求項５】
「専用吊り具（６）」（図２７〜図２９）は、「商品の装飾的な月めくりカレンダー」を直接に吊り下げるものであり、「固定ピン（６ｅ）」で固定する。そのカレンダーを吊り下げた状態（図３９）のままで、カレンダー本体の「吊り下げ部（Ｃ）」の「吊り下げ支持部品（２５）」（図５９）の上部空間の２９（図５８）に嵌め込み引っ掛けることにより固定ができる。カレンダーを吊るし固定するのは［ブロック（６ａ）］の「ブロックの中央に位置する穴（Ｈ２）」に「固定ピン（６ｅ）」で固定する（図２７参照）。［ブロックの中央を示す位置］は「Ｓ文字」で表示してある。また、「ブロック（６ｂ）」を「ブロック（６ａ）」と「ブロック（６ｄ）」の間に移動させると「ブロック（６ａのＨ１）」が「ブロックの中央に位置する穴」となる（図２８参照）。そして、「ブロック（６ａ）」だけを左右に裏返しすると「ブロック（６ａのＨ３）」が「ブロックの中央に位置する穴」となる（図２９参照）。このように「ブロック（６ａ）」の「穴Ｈ１、Ｈ２、Ｈ３」を順番に使用することで長期に耐える仕組みがしてある。この「専用吊り具（６）」を使用することで、「商品の装飾的な月めくりカレンダー」の紙製留め具用ハンガーとして利用できるようにしたことを特徴とする請求項１に記載の「カレンガーである。材料は圧縮した硬い紙材、木材、金属類、プラスチック、セラミックス、その他の硬い材料を使用する。請求項５の製造方法を含む。
【請求項６】
「折り返し空間板部材（５５）」（図４２、図４３）は「折り返し空間板部材（１２）」（図３、図４）と交換して、「壁掛け部（Ａ）」の「壁掛け板部材（１１）」を「紐状（６１）」（図４４）と「鎖状（７１）」（図４５）に変えることができる構造である。「折り返し空間板部材（５５）」の「上部の穴（５６）」（図４２）は「紐状（６１）」又は「鎖状（７１）」を結合させるところである。「下部の穴二つ」は「折り返し空間板部材（１３）」と「吊り下げ部（Ｃ）」を「木ネジ（１４）」で接合するところである。「折り返し空間（３０）」が十分な空間を確保できるように「折り返し空間板部材（５５）」は適切な長さに加工してある。請求項６の製造方法を含む。
【請求項７】
「飾り板（７７）」（図６９、図７７）は「装飾的な木目模様のある板部材」で長方形である。また、厚みが１０mm前後であるが、「装飾的な木目模様が裏表楽しめる板部材」である。「壁掛け部（Ａ）」の「壁掛け板部材（１１）」の両端に「飾り板用固定前板（７４ａ）」（図６４、図６５）を「木ネジ（１４）」で、下端に「飾り板用受け板（７６）」（図６６〜６８）を「釘」で取り付けてあるから、「飾り板（７７）」を上側から差し込む加工（図６５の７５）をしてある。「日本の檜」は「装飾的な木目模様のある板部材」として「独特な木目模様と木の香り」がある特徴をもっている。「飾り板（７７）」は「独特な木目模様と木の香り」を楽しむために別途制作する。「飾り板付きカレンガー（１２９）」（図７７）の商品とする。請求項７の製造方法を含む。
【発明の詳細な説明】
【技術分野】
【０００１】
本発明は、商品のカレンダー用ハンガーと製造方法に関するものである。
【背景技術】
【０００２】
従来のカレンダーハンガーには、カレンダーの使用後にめくられる紙面をカレンダー吊り具より上部まで巻き上げて、巻き上げ紙面支持板に、巻き上げ紙面留め具で留めるものがある（特許文献１参照）。月々のカレンダー紙面をまとめて巻き上げて留めることが苦痛となる。
【特許文献１】特開２００３−２１１８６９（第２頁、図３）
【発明の開示】
【発明が解決しようとする課題】
【０００３】
現代の壁掛けカレンダーは、金属部分の中央にある丸い穴か、金属部分に挟み込んだ紐等で壁や板に掛けるようにできている。従って月めくりカレンダーは、金属部分の中央にある丸い穴の形式、金属部分に紐を挟み込んだ形式、紙製の留め具で中央に丸い穴の形式ともに月毎に切り離していく方法か、金属部分に紐を挟み込んだ形式では、紐の間を通して後ろへ折り返すことができる。しかし、この場合にはカレンダーの紙を紐で傷めることがある。一枚のカレンダーやホスターは画鋲で壁や板に張り付ける為に、壁や板が傷んでしまうし、カレンダーやホスターそのものにも穴が開くことになる。【０００４】
「商品の装飾的な月めくりカレンダー」は、映画俳優、女優、歌手、アイドル、ユニークなキャラクター、有名な絵画と彫刻物、建築物等の写真とか絵等が入っているもの、更に最近は世界遺産に登録された諸々の写真とか絵入り等で、毎月めくっていくカレンダーの完成品である。そのフアンの人々やそれを趣味にしている人々であればそのような「装飾的なカレンダー」はとても大切なものである。月めくりカレンダーだからといっても、その月が過ぎたからと切り離すことはない。永久保存する為に切り離さないことが真実と言えます。【０００５】
しかし、永久保存する為に切り離さないと、月々のカレンダーの役目を果たさないし、そのフアン、それを趣味にしている人としては楽しめないことになります。一枚のカレンダーでも画鋲等を使用すると穴が開いてしまいカレンダーを傷つけることで、壁や板等に張り付けないことになる。せっかく購入しても楽しめないのであれば、意味がないことで終わってしまう。
本発明は、このようなフアンの人々、それを趣味にしている人々の為にこの問題を解決しようとするものである。そして、月々のカレンダーの役目を果たし、そのフアンの人々やそれを趣味にしている人々も楽しめる為にカレンダー専用のハンガーを実現することを目的とするものである。
【課題を解決するための手段】
【０００６】
そこで、本発明は上記の目的を達成する為に「壁掛け部Ａ」と「折り返し空間部Ｂ」
そして「吊り下げ部Ｃ」から構成されている構造がハンガー本体となる。商品としてのカレンダーを吊り下げることから、この名称は「カレンガー」とする商標である。【０００７】
この「壁掛け部Ａ」は壁、板や吊り下げ可能な位置に掛けて吊り下げる為の部位で中央に丸い穴のある吊り金具を設けてあり、ここに引っ掛けて留める役目がある。「折り返し空間部Ｂ」は「装飾的な月めくりカレンダー」の紙を空間に通し折り返して後ろへ垂れ下げる為の部位である。カレンダーの一年分の紙を容易に通せる空間があればその役目は果たせる。「吊り下げ部Ｃ」は「装飾的な月めくりカレンダー」を引っ掛けて固定する為の部位であり、図１４の「吊り下げ支持部品」の凸加工してあるところに図２３の「専用吊り具４」の折り曲げ加工してあるところ３５、３７を引っ掛けて図１２の両端３１で固定することが役目である。この三部位から構成されている構造が「カレンガー本体１」となる。【０００８】
次に図２３に示す「専用吊り具４」は［装飾的な月めくりカレンダー］を直接に引っ掛けて吊り下げるものであり、そのカレンダーを引っ掛けて吊り下げた状態（図３３）のままで、上記の「カレンガー本体１」の「吊り下げ部Ｃ」の図１４の「吊り下げ支持部品２２」の凸加工してあるところに嵌め込み引っ掛けて図１２の両端にある「ストッパー３１」で固定することができる。【０００９】
そして、図５、図６に示す「吊り下げ部Ｃ」の「吊り下げ交換部品２Ａと２Ｂ」の「保護固定部品１８」は保護の役目一つと固定する役目二つを持っている。保護の役目は「装飾的な月めくりカレンダー」の紙が「折り返し空間部Ｂ」の空間を通し折り返して後ろへ垂れ下がるので、そのカレンダーの紙が傷まない為に上部は丸い形の加工がしてある。固定する役目は「専用吊り具４」に引っ掛けて吊り下げられた「装飾的な月めくりカレンダー８」が浮き上がって外れないように押える為に下側に凸加工３４がしてある。【００１０】
「保護固定部品１８」には勝手に外れないように「磁石２１ａ」が取り付けてある。これにより上記のカレンダーが容易に外れないのである。「吊り下げ部Ｃ」の「吊り下げ交換部品２Ａ」は「専用吊り具４と５」を利用してカレンダーの金属製留め具と紙製留め具用である。「吊り下げ部Ｃ」の「吊り下げ交換部品２Ｂ」は「専用吊り具６」を利用してカレンダーの紙製留め具用である。【００１１】
更に、図７、図８に示す「吊り下げ部Ｃ」の［吊り下げ交換部品３Ａと３Ｂ］の丸く加工した「保護部位２６」は、保護の役目がある。保護の役目は「装飾的な月めくりカレンダー」の紙が傷まない為に上部は丸い形の加工がしてある。図５７、図５９にカレンダーをセットし、拡大した部分断面図を示してある。「吊り下げ部Ｃ」の「吊り下げ交換部品３A」は「専用吊り具４と５」を利用して金属製留め具と紙製留め具用である。「吊り下げ部Ｃ」の「吊り下げ交換部品３Ｂ」は「専用吊り具６」を利用してカレンダーの紙製留め具用である。【００１２】
最後に、図３２に示す「吊り下げ補助部品７」は図３５に示す「吊り下げ補助部品７」に「装飾的な一枚のカレンダー５２」を直接に糊等の接着剤で貼り付けて、その後に図２３に示す「専用吊り具４」に引っ掛け吊り下げて、そのままの状態（図３５）で「カレンガー本体１」の「吊り下げ部Ｃ」の「吊り下げ支持部品２２」の凸加工してあるところに嵌め込み引っ掛けることにより固定ができる。図４１にカレンダーを取り付けた使用状態を示す。【００１３】
本発明は、これまでに記載した内容で、「装飾的な月めくりカレンダー」の問題を解決することができたし、前段に記載したように「吊り下げ補助部品７」を用いることで一枚のカレンダーの問題を解決することができた。これで全ての問題を解決し目的を達成した。
【発明の効果】
【００１４】
上述したように本発明のカレンダーのハンガーである「カレンガー」は、「装飾的な月めくりカレンダー」のカレンダーの紙を月々切り離さなすことなく壁や板等に掛けることで、そのフアンの人々やそれを趣味とする人々は楽しめることになり、また「装飾的な一枚のカレンダー」も画鋲等を用いることなく、この「カレンガー」を使用して壁や板等に掛けることで、そのフアンの人々やそれを趣味にしている人々は楽しめることになったのである。【００１５】
そして、「装飾的な一枚のカレンダー」では、壁と板等やカレンダーを画鋲で傷めることが無くなり、壁や板等の美観上も良くなったのである。
【発明を実施するための最良の形態】
【００１６】
以下、本発明の実施の形態を図１から図６３に基づいて説明する。また、本発明に使用する材料は、圧縮した硬い紙材、木材、金属類、プラスチック類、塩化ビニール、セラミックス、その他の硬い材料等とする。そして、その材料等の組み合わせを含むものとする。【００１７】
図１は正面図で「装飾的な月めくりカレンダー」を吊り下げるハンガーとして使用する「カレンガー本体１」であり、「壁掛け部Ａ」の「壁掛け板部材１１」と「折り返し空間部Ｂ」の「折り返し空間板部材１２と１３」から構成されている構造である。「壁掛け部Ａ」の「壁掛け板部材１１」は壁や板に掛ける為の部位であり、最上部の中央に丸い穴のある「壁掛け金具１０」を取り付けてある。【００１８】
図２は、図１の背面図であり「壁掛け部Ａ」と「折り返し空間部Ｂ」を木ネジで接合してある。図１と図２の「折り返し空間板部材１３」は折り返したカレンダーの紙面を空間に導く為に取り付けてある。図１と図２には「吊り下げ部Ｃ」が取り外した状態である。「吊り下げ部Ｃ」は好みに応じて選択することができる。「吊り下げ部Ｃ」は「木ネジ１４」で取り付けする。【００１９】
図３、図４は「折り返し空間部Ｂ」を設ける「折り返し空間板部材１２」であり、「壁掛け部Ａ」と「折り返し空間部Ｂ」そして「吊り下げ部（Ｃ）」を木ネジで接合して、「折り返し空間３０」を作るように加工してある。図３の１５の位置に「壁掛け部Ａ」、図３の１６の位置に「吊り下げ部Ｃ」、そして図３の１７の位置に「折り返し空間板部材１３」を取り付ける。  それで「折り返し空間３０」は適切な寸法の空間ができるように加工してある。【００２０】
図５は側面図で「吊り下げ部Ｃ」の「吊り下げ交換部品２Ａ」で四つのブロックから構成されている。「吊り下げ交換部品２Ａ」の「保護固定部品１８」はカレンダーの紙面を折り返した時に傷まないように丸く加工してある。「吊り下げ支持部品２２」は正面の前側になる「吊り下げ交換部品２Ａの１９」に「釘２３」で取り付けてある。正面の後側になる「吊り下げ交換部品２Ａの２０」の「穴２４」は「釘２３」を打ち込むために利用する。「吊り下げ部Ｃ」の「吊り下げ交換部品２Ａ」は「専用吊り具４」又は「専用吊り具５」と組み合わせて使用する。  【００２１】
図６は側面図で「吊り下げ部Ｃ」の「吊り下げ交換部品２Ｂ」で四つのブロックから構成されているが、「吊り下げ交換部品２Ａ」との違いは吊り下げ「吊り下げ支持部品２２」を「吊り下げ支持部品２５」に取り替えてある。「吊り下げ部Ｃ」の「吊り下げ交換部品２Ｂ」は吊り下げ「専用吊り具６」と組み合わせて使用する。【００２２】
図７は「吊り下げ部Ｃ」の「吊り下げ交換部品３Ａ」で二つのブロックから構成されている。「吊り下げ交換部品３Ａの上部２６」はカレンダーの紙面を折り返した時に傷まないように丸く加工してある。「吊り下げ支持部品２２」は正面の前側になる「吊り下げ交換部品３Ａの２７」に「釘２３」で取り付けてある。正面の後側になる「吊り下げ交換部品３Ａの２８」の「穴２４」は「釘２３」を打ち込むために利用する。「吊り下げ部Ｃ」の「交換部品３Ａ」は「専用吊り具４」または「専用吊り具５」と組み合わせて使用する。【００２３】
図８は側面図で「吊り下げ部Ｃ」の「吊り下げ交換部品３Ｂ」で二つのブロックから構成されているが「吊り下げ交換部品３Ａ」との違いは吊り下げ「吊り下げ支持部品２２」を「吊り下げ支持部品２５」に取り替えてある。「吊り下げ支持部品２５」正面の前側になる「吊り下げ交換部品３Ｂの２７」に「釘２３」で取り付けてある。正面の後側になる「吊り下げ交換部品３Ｂの２８」の「穴２４」は「釘２３」を打ち込むために利用する。「吊り下げ部Ｃ」の「吊り下げ交換部品３Ｂ」は吊り下げ「専用吊り具６」と組み合わせて使用する。【００２４】
図９は「カレンガー」の正面図で「カレンガー本体１」として「壁掛け部Ａ」と「折り返し空間部Ｂ」そして「吊り下げ部Ｃ」で構成されている構造である。「壁掛け部Ａ」は壁や板に掛ける為の部位であり、「壁掛け板部材１１」の中央に「壁掛け金具１０」が取り付けてある。  
「折り返し空間部Ｂ」は図３及び図４の「折り返し空間板部材１２」を使用することにより「折り返し空間３０」ができる加工をしてある。「吊り下げ部Ｃ」は「吊り下げ交換部品２Ａ」が取り付けてある。「吊り下げ交換部品２Ａ」の「保護固定部品１８」と「吊り下げ交換部品２Ａの１９」が確認できる。【００２５】
図１０は背面図であり、「壁掛け部Ａ」と「折り返し空間部Ｂ」そして「吊り下げ部Ｃ」が「折り返し空間板部材１２」を「木ネジ１４」で取り付けてある。また折り返したカレンダーの紙面を導く「折り返し空間板部材１３」を確認できる。このように各部を「木ネジ１４」でとりつけてあるから、分解して収納することが可能である。【００２６】
図１１は平面図であり、「折り返し空間板部材１２」と「壁掛け部Ａ」が接合されていることを確認できる。  「吊り下げ部Ｃ」の丸く加工した「保護固定部品１８」を確認できる。  但し、「木ネジ１４」は省略してある。  図１２は図１４のロ‐ロで断面して「壁掛け部Ａ」を除外してある断面図である。  但し、「吊り下げ部Ｃ」の両端にある「ストッパー３１」は追加し記載してある。【００２７】
「折り返し空間板部材１２」が両側にあり、「折り返し空間板部材１３」が接合して、カレンダーの折り返し紙面を導く「折り返し空間３０」を作る加工をしてある。「吊り下げ部Ｃ」は「吊り下げ交換部品２Ａ」取り付けてあるから、「吊り下げ支持部品２２」を確認できる。ここに図３３の「専用吊り具４」に「カレンダー８」を取り付けた状態でセットする。そうすると両側の「ストッパー３１」で位置決め固定できる。ここでも「木ネジ１４」は省略してある。【００２８】
図１３は側面図であり、両側にある位置決めの「ストッパー３１」は取り外してある状態である。「壁掛け部Ａ」と「折り返し空間部Ｂ」そして「吊り下げ部Ｃ」の接合してある位置関係を確認できる。「折り返し空間板部材１２」で「壁掛け部Ａ」と「折り返し部Ｂ」そして「吊り下げ部Ｃ」を接合していることが確認できる。「吊り下げ部Ｃ」の［吊り下げ支持部品２２」は正面の前側「吊り下げ交換部品２Ａのブロック１９」に接合していることを確認できる。【００２９】
図１４は図９のイ‐イの断面図であり、「壁掛け部Ａ」は除外した拡大図である。「折り返し空間板部材１２と１３」と「吊り下げ部Ｃ」とが「木ネジ１４」で取り付けてあることが確認できる。「吊り下げ支持部品２２」が「吊り下げ交換部品２Ａの１９」に「釘２３」で取り付けてあることも確認できる。「吊り下げ部Ｃ」の「空間２９」はカレンダーを取り付けた「専用吊り具４」が納まるところである。【００３０】
「吊り下げ部Ｃ」の両側にある「ストッパー３１」は取り外した状態の断面図である。  各部の部品やブロックが異なった斜線で表示されているので区分が明確である。  断面図で斜線のないところは反対側の「折り返し空間板部材１２」である。  「吊り下げ部Ｃ」の丸く加工してある「保護固定部品１８」の取り付け位置関係が確認できる。【００３１】
図１５〜図１７は「吊り下げ部Ｃ」の両端にある「ストッパー３１」である。  図１５は左右の正面図、図１６は左右の平面図、図１７は左右の側面図である。  これらの各図面にある「磁石２１ｂ」は「保護固定部品１８」の「磁石２１ａ」と接合するように加工してある。この「ストッパー３１」の役目は吊り下げ「専用吊り具」を位置決め固定することにある。  この「ストッパー３１」は「木ネジ１４」で固定する。【００３２】
図１８〜図２０は「吊り下げ部Ｃ」の「保護固定部品１８」である。  図１８は正面図であり、丸く加工してあるところが３３で、位置決め固定する役目がある凸加工してあるところが３４である。両端に「磁石２１ａ」を確認できる。図１９は底面図であり、「保護固定部１８」の「磁石２１ａ」と「位置決め固定の凸加工３４」の位置関係を確認できる。図２０は側面図であり、「丸く加工３３」と「位置決め固定凸加工３４」そして「磁石２１ａ」の位置関係を確認できる。【００３３】
図２１〜図２３は吊り下げ「専用吊り具４」である。図２１は正面図、図２２は底面図です。図２３は側面図であり、折り曲げ加工のところ３５と３７が「吊り下げ部Ｃ」の正面前側「吊り下げ交換部品２Ａの１９」に取り付けてある「吊り下げ支持部品２２」の凸加工してあるところに嵌め込む部位にあたる。下方の折り曲げ加工のところ３６と３８がカレンダー８の留め金具の折り曲げ加工した隙間のところを引っ掛ける部位にあたる。【００３４】
図２４〜図２６は吊り下げ「専用吊り具５」である。図２４は正面図、図２５は底面図、図２６は側面図である。図２６に「専用吊り具５」は「付属部品５ａ」とセットで使用することを示してある。「専用吊り具５」の４０と４１の間４３に「紙製留め具のカレンダー」を嵌め込み、「付属部品５ａ」を穴のところに差し込むことで「紙製留め具のカレンダー」を吊り下げる。「専用吊り具５」の折り曲げたところ３９，４２が「吊り下げ支持部品２２」の凸加工したところに嵌め込む部位である。【００３５】
図２７〜図２９は「専用吊り具６」である。「専用吊り具６」は「四つのブロック」から構成されている。「ブロック６ａ」には［Ｈ１〜Ｈ３の三つの穴］があり、Ｓ字のある位置が「ブロック全体の中央位置」となり、図２７に示すこの位置に当る「ブロック６ａ穴Ｈ２」に紙製留め具カレンダーの穴をあわせて「付属部品６ｅ」で取り付ける。【００３６】
図２８は「ブロック６ｂ」を「ブロック６ａ」と「ブロック６ｄ」の間に移動させると「ブロック全体の中央位置」は「ブロック６ａの穴Ｈ１」に変わる。図２９は「ブロック６ａ」だけを左右に裏返しすると「ブロック６ａの穴Ｈ３」が「ブロック全体の中央位置」となる。このように「ブロック６ａ」の穴が傷むことがあれば「穴Ｈ１〜Ｈ３」を順番に使用することで長期に耐える仕組みがしてある。【００３７】
図３０〜図３２は「吊り下げ補助部品７」である。図３０は正面図、図３１は底面図、図３２は側面図である。図３２「吊り下げ補助部品７の５１部位」のところに「装飾的な一枚のカレンダー」を直接に接着剤で貼り付ける。「吊り下げ補助部品７の５０部位」の隙間に、吊り下げ「専用吊り具４の３６部位」に差し込み「装飾的な一枚のカレンダー」を吊り下げる。【００３８】
図３３は吊り下げ「専用吊り具４」に「装飾的な月めくりカレンダー８」を吊り下げた状態の側面拡大図である。「装飾的な月めくりカレンダー８」の取り付けはカレンダーの留め金具の隙間に「専用吊り具４の３６部位」が差し込まれていることを確認できる。そして、このままの状態で「吊り下げ支持部品２２」の凸加工したところに引っ掛け吊り下げる。【００３９】
図３４は吊り下げ「専用吊り具５」に「紙製留め具の装飾的な月めくりカレンダー９」を吊り下げた状態の側面拡大図である。「専用吊り具５の４０と４１の間」に「カレンダー９」を差込、「固定ピン５ａ」を穴の位置に差し込み「カレンダー９」を吊り下げる。そして、このままの状態で「吊り下げ支持部品２２」の凸加工したところに引っ掛けて吊り下げる。【００４０】
図３５は「装飾的一枚のカレンダー５２」を取り付けてある「吊り下げ補助部品７」が更に吊り下げ「専用吊り具４の３６」に差し込まれ吊り下げられてある。そして、このままの状態で「吊り下げ支持部品２２」の凸加工したところに引っ掛けて吊り下げる。【００４１】
図３６は「樹脂製バインダー留め具５３の装飾的な月めくりカレンダー５４」を吊り下げ「専用吊り具４の３６」に差し込まれ吊り下げられている。そして、このままの状態で「吊り下げ支持部品２２」の凸加工したところに引っ掛けて吊り下げる。【００４２】
図３７、図３８は吊り下げ「専用吊り具６」に使用する「固定ピン６ｅ」である。図３７は正面図、図３８は側面図であり、直径に段差をつけた加工がしてある。細い径の方がカレンダーの穴を通して、更に「専用吊り具６」の「ブロック６ａ」で「ブロック全体の中央位置」のＳ字位置に当る穴が「穴Ｈ１〜Ｈ３」のどれかに該当するので、その該当する穴に差し込まれる。太い径の方がカレンダーを固定するように加工してある。【００４３】
図３９は吊り下げ「専用吊り具６」であり、図２７のハ‐ハの位置の拡大断面図に「紙製留め具の装飾的な月めくりカレンダー９」を取り付けた状態である。「ブロック６ａの穴Ｈ２」に「固定ピン６ｅ」が「紙製留め具の装飾的な月めくりカレンダー９」の穴を通して差し込まれていることを確認できる。そして、このままの状態で図６の「吊り下げ支持部品２５」の位置にある空間２９のところにセットする。
【実施例】
【００４４】
図４０は「装飾的な月めくりカレンダー８」を吊り下げた状態のハンガーとしての「カレンガー１ａ」の完成正面図で実施例［１］である。ここでは「吊り下げ部Ｃ」の「吊り下げ交換部品２Ａ」が取り付けてある外観図である。重要なところは図１４に示してあるから省略してある。「折り返し空間３０」が適切に確保されている。また「壁掛け部Ａの１１」は山形であるが、このところに彫刻して飾りを付けることは容易に可能なことである。吊り下げられたカレンダーの下方は省略してある。【００４５】
図４１は「カレンガー１ｂ」であり実施例［２］の一つである。「吊り下げ交換部品２Ｂ」が取り付けてある。「装飾的な月めくりカレンダー９」が吊り下げられて、カレンダーの紙面の数枚が折り返した状態である。カレンダーの表の表示が９ａ、裏の表示が９ｂである。カレンダーの紙面を折り返しても「折り返し空間３０」の両側の隙間は十分に確保されているので、カレンダーの紙面を傷つけることはない。カレンダーの下方は省略してある。【００４６】
図４２、図４３は「折り返し空間板部材５５」で「折り返し空間板部材１２」と取り替えることで「壁掛け部Ａ」の構造を変更することができる。上部に穴５６があることが特徴である。「下部の穴二つ」は「木ネジ１４」で固定する部位である。図４２が正面図、図４３が側面図である。番号５７の面に「吊り下げ部Ｃ」を、番号５８の面に「折り返し空間板部材１３」を取り付ける。【００４７】
図４４は「カレンガー５９」であり、実施例［３］の一つである。両側に「折り返し空間板部材５５」を使用して「壁掛け部Ａ」が「紐状６１」である。「紐状６１」の中央に「リング６０」を付けて壁掛けに用いる。「折り返し空間３０」は十分に確保されている。「装飾的な月めくりカレンダー８」が吊り下げてある。しかし、カレンダーの下方は省略してある。【００４８】
図４５は「カレンガー６９」であり、実施例［４］の一つである。両側に「折り返し空間板部材５５」を使用して「壁掛け部Ａ」が「鎖状７１」である。「鎖状７１」の中央に「リング７０」を付けて壁掛けに用いる。「折り返し空間３０」は十分に確保されている。「装飾的な月めくりカレンダー９」が吊り下げてある。しかし、カレンダーの下方は省略してある。【００４９】
図４６は「カレンガー１０１」であり、これまでと違うところは「吊り下げ部Ｃ」に「吊り下げ交換部品３Ａ」を取り付けてあることです。その為にカレンダーを取り付けた「専用吊り具」を固定する役目の「ストッパー６４」が、両側に「木ネジ６５」で接合してある。【００５０】
図４７は「カレンガー１０１」の背面図である。「壁掛け部Ａ」と「折り返し空間部Ｂ」そして「吊り下げ部Ｃ」は「木ネジ１４」で固定してある。従って「木ネジ１４」を取り外すことにより分解収納が可能である。【００５１】
図４８は「カレンガー１０１」の平面図である。「ストッパー６４」は側面の全体を覆うように加工してあることが確認できる。「吊り下げ部Ｃ」は「吊り下げ交換部品２Ａ、２Ｂ」と「吊り下げ交換部品３Ａ、３Ｂ」とでは平面図に違いがない。【００５２】
図４９は「カレンガー１０１」の断面図である。図４６の「カレンガー１０１」正面図のヘ‐ヘ間の断面図で、「壁掛け部Ａ」が除外してある。「ストッパー６４」は「スリーブ３２」を固定する為の役目がある。「スリーブ３２」は「吊り下げ支持部品２２」の両端で保持されているが、吊り下げ「専用吊り具４」を位置決めする役目がある。【００５３】
「吊り下げ交換部品３Ａ、３Ｂ」は「装飾的な月めくりカレンダー」を取り付けた吊り下げ「専用吊り具４」を側面から差し込むタイプであり、「スリーブ３２」を固定できないのである。カレンダーをセットする手順は、左右どちらかの「ストッパー６４」を「木ネジ６５」で取り外して、同方向の「スリーブ３２」を引き出した後に、「装飾的な月めくりカレンダー」を取り付けた吊り下げ「専用吊り具４」を側面からスライドさせて差し込む。その後に「スリーブ３２」と「ストッパー６４」を順番に取り付けて行く、最後は「木ネジ６５」を締め付けて終わる。カレンダーが「スリーブ３２」で中央に位置決めされる加工をしてある。【００５４】
図５０は「スリーブ３２」であり、図１５〜図１７に示す「ストッパー３１」の位置に相当し、固定はしないで吊り下げ「専用吊り具４」を位置決めする役目がある。図５０の３２ａが正面図、３２ｂが側面図である。図５０の「スリーブ３２」は右側に使用する。図５１は「スリーブ３２」であり、図５１の３２ｃが側面図、３２ｄが正面図である。図５１の「スリーブ３２」は左側に使用する。しかし、図５０と図５１の「スリーブ３２」は同じ形状に加工されている。「スリーブ３２」は「吊り下げ支持部品２２」の両端の一部カット加工したところが「スリーブ３２」のカット加工６６に差し込まれることで保持されている。【００５５】
図５２は図４６の側面図であるが、図５０の「スリーブ３２」と図４６の「ストッパー６４」を除外してある。「吊り下げ部Ｃ」に「吊り下げ交換部品３Ａ」が接合されていることを確認できる。「吊り下げ支持部品２２」が取り付けてあることが特徴である。釘と木ネジは省略してある。カレンダーは側面から差し込む構造である。【００５６】
図５３は図４６のニ‐ニの位置の断面図である。但し、「壁掛け部Ａ」は除外してある。この図で理解できることは、「吊り下げ部Ｃ」に「吊り下げ支持部品２２」が「釘２３」で取り付けてあること、その釘は穴２４を通して打ち込まれている。その後に、「折り返し空間板部材１２と１３」が共に「吊り下げ部Ｃ」に「木ネジ１４」で取り付けてあることが確認できる。「吊り下げ支持部品２２」が一部分に斜線がないのは途中でカット加工をしてあり、斜線のあるところが、図５０、図５１の「スリーブ３２」の６６に差し込まれ支持するのである。【００５７】
図５４、図５５は「ストッパー６４」である。図５４は正面図、図５５は側面図であるが同じ図を記載してあるのは左右の部品が全く同じであることを意味している。バランスのとれない形をしているから、縦の後側の面を合わせて「木ネジ６５」で強く固定する。穴６７が「木ネジ６５」を通すところである。【００５８】
図５６は図４６のホ‐ホの位置の拡大断面図であり、「壁掛け部Ａ」は除外してある。また「スリーブ３２」と「ストッパー６４」は取り外して、釘と木ネジは省略してある。この図では吊り下げ「専用吊り具４」がセットしてあるので、側面からスライドして差し込みしていることが理解できる。図５７は図６０のチ‐チ間の断面図で図３３の吊り下げ「専用吊り具４」に「装飾的な月めくりカレンダー８」が引っ掛けて「吊り下げ支持部品２２」に吊り下げられている状態でセットしてあることを確認できる。【００５９】
図５８は図４６の拡大側面図であるが、「吊り下げ部Ｃ」は「吊り下げ交換部品３Ｂ」に交換してあり、「ストッパー６４」と「スリーブ３２」は取り外してある。「吊り下げ交換部品３Ｂ」は「吊り下げ支持部品２５」が取り付けてあることが特徴である。「吊り下げ支持部品２５」が「釘２３」で固定され、「吊り下げ部Ｃ」が「折返し空間板部材１２と１３」と共に「木ネジ１４」で固定されていることを確認できる。【００６０】
図５９は図４６のリ‐リ間の拡大断面図であるが、「吊り下げ部Ｃ」は「吊り下げ交換部品３Ｂ」に交換してあり、「ストッパー６４」と「スリーブ３２」は取り外してある。「吊り下げ交換部品３Ｂ」は「吊り下げ支持部品２５」が取り付けてあることが特徴あるが、この図では「吊り下げ支持部品２５」の上に、図３９の「装飾的な月めくりカレンダー９」を吊り下げた状態のままで、吊り下げ「専用吊り具６」がセットされてある。「吊り下げ支持部品２５」は「釘２３」で固定されていること、「釘２３」は穴２４を通して打ち込まれてある。【００６１】
図６０は「カレンガー１０１」の完成正面図で実施例［５］の一つである。「吊り下げ交換部品３Ａ」が取り付けてある。「装飾的な月めくりカレンダー８」が吊り下げられている状態である。「折り返し空間３０」が十分な幅が確保されていることを示してある。両端に「ストッパー６４」が「木ネジ６５」で固定してある。【００６２】
図６１は「カレンガー１０２」の完成正面図で実施例［６］の一つである。「吊り下げ交換部品３Ｂ」が取り付けてある。「装飾的な月めくりカレンダー９」が吊り下げられている状態である。「装飾的な月めくりカレンダー９」の紙面が数枚折り返してある。このカレンダーの紙面の表は９ａ、裏は９ｂで示してある。この折り返したカレンダーの紙面の両端には余裕の隙間があり傷つけることはない。「折り返し空間３０」は十分に確保されている。【００６３】
図６２は「カレンガー１０９」で実施例［７］の一つである。「折り返し空間板部材１２」を「折り返し板部材５５」に取り替えてある。図６２が図４４と違うところは「吊り下げ部Ｃ」が「吊り下げ交換部品３Ａ」に交換してある。従って、両端に「ストッパー６４」が「木ネジ６５」で取り付けてある。「壁掛け部Ａ」は「紐状１１１」で中央に「リング１１０」が取り付けてある。「折り返し空間１３０」は十分な幅を確保してある。「装飾的な月めくりカレンダー８」が吊り下げられてある。カレンダーの下方は省略してある。【００６４】
図６３は「カレンガー１１９」で実施例［８］の一つである。「折り返し空間板部材１２」を「折り返し板部材５５」に取り替えてある。図６３が図４５と違うところは「吊り下げ部Ｃ」が「吊り下げ交換部品３Ｂ」に交換してある。従って、両端に「ストッパー６４」が「木ネジ６５」で取り付けてある。「壁掛け部Ａ」は「鎖状１２１」で中央に「リング１２０」が取り付けてある。「折り返し空間１３０」は十分な幅を確保してある。「装飾的な月めくりカレンダー９」が吊り下げられてある。カレンダーの下方は省略してある。【００６５】
図６４は正面図であり、「飾り板つきカレンガー１２９」に使用する「飾り板用固定前板７４」で、「左飾り板用固定前板（７４ａ）」と「右飾り板用固定前板（７４ｂ）」がある。図６５は平面図であり、「飾り板用固定前板７４」で、「左飾り板用固定前板（７４ｃ）」と「右飾り板用固定前板（７４ｄ）」がある。左右のどちらにも「切り込み加工７５」がある、これは
「飾り板（７７）」を差し込む位置である。【００６６】
図６６は正面図であり、「飾り板用受け板７６」で、「飾り板７７」が落ちないように受け止めるものである。「壁掛け部Ａ」の「壁掛け板部材１１」の下端面に「釘」でとりつける。図６７は平面図であり、長方形の板部材であるがそれ以外には何も加工はしていない。図６８は側面図である。加工は何もしていない。「飾り板７７」を受け止めるためのものである。【００６７】
図６９は「飾り板７７」の正面図である。「装飾的で独特な木目模様の板部材」を日本の檜材の板材から選んで「飾り板７７」として採用してある。同じ木目模様はないし、裏表の木目模様も違うので両面を楽しめるのである。木目模様に表題を付けて楽しむこともできる。また「白み」と「赤み」等の色目の変化も楽しめる「飾り板７７」である。図７０は平面図、図７１は側面図である。【００６８】
図７２は吊り下げ「専用吊り具７８」の正面図、図７３は平面図である。図７４は側面図である。吊り下げ「専用吊り具４」との違いは、上部に折り返しが無くて、吊り下げ「専用吊り具６」にセットする「セット用穴７９」があること。「専用吊り具７８」は「専用吊り具４」から容易に考えることができる。【００６９】
図７５は吊り下げ「専用吊り具７８」の拡大図である。カレンダーを「引っ掛ける部位８０が細く加工してある。図７６は吊り下げ「専用吊り具７８」に「カレンダー８」を引っ掛けて、それを更に吊り下げ「専用吊り具６ａ」に「固定ピン６ｅ」で取り付けてある。このままの状態で「吊り下げ交換部品２Ｂ」又は「吊り下げ交換部品３Ｂ」にセットする。【００７０】
図７７は「実施例１２９」で実施例［９］の一つである。「飾り板付きカレンガー１２９」であり、「飾り板７７」が差し込んである状態である。「壁掛け部Ａ」の左右の「飾り板用固定前板７４」と「壁掛け板部材１１」の下端に「飾り板用受け板７６」の取り付け状態を確認できる。「折り返し空間３０」は十分に確保されてある。「カレンダー８」がセットしてあるが、下方はカットしてある。【００７１】
図７８は「実施例１２９」のヌ‐ヌ間の断面図である。「飾り板７７」が「飾り板用固定前板７４」と「飾り板用受け板７６」で保持するようにできている。「飾り板７７」は「飾り板用固定前板７４」の加工してあるところに差し込み、「飾り板用受け板７６」で受け止めてある。「飾り板７７」は裏表の木目模様が異なるので、差し替えて楽しめるように加工してある。
【産業上の利用可能性】
【００７２】
映画俳優、女優、歌手、アイドル、ユニークなキャラクター、有名な絵画と彫刻物、建築物等の写真とか絵等が入っているもの、更に最近は世界遺産に登録された諸々の写真とか絵入り等で、そのフアンの人々とそれを趣味にしている人々は数多く存在するので、本発明の「カレンガー」を購入してくれることは間違いないと考えるので、産業上の利用可能性はあると判断する。
【図面の簡単な説明】
【００７３】
【図１】カレンガー本体１の正面図。但し、「吊り下げ部Ｃ」を除く。
【図２】カレンガー本体１の背面図。但し、「吊り下げ部Ｃ」を除く。
【図３】折り返し空間板部材１２の拡大側面図。
【図４】折り返し空間板部材１２の拡大正面図。
【００７４】
【図５】吊り下げ交換部品２Ａの側面図。吊り下げ支持部品２２付。
【図６】吊り下げ交換部品２Ｂの側面図。吊り下げ支持部品２５付。
【図７】吊り下げ交換部品３Ａの側面図。吊り下げ支持部品２２付。
【図８】吊り下げ交換部品３Ｂの側面図。吊り下げ支持部品２５付。
【００７５】
【図９】カレンガー本体１に、吊り下げ交換部品２Ａをセットした正面図。
【図１０】カレンガー本体１に、吊り下げ交換部品２Ｂをセットした背面図。
【図１１】カレンガー本体１の平面図。吊り下げ交換部品２Ａ取り付け。
【図１２】図１４のロ‐ロ間の断面図。
【００７６】
【図１３】図９の側面図。但し、ストッパー３１が取り外してある。
【図１４】図９のイ‐イ間の拡大断面図。
【図１５】左右のストッパー３１の正面図。
【図１６】左右のストッパー３１の平面図。
【図１７】左右のストッパー３１の側面図。
【００７７】
【図１８】保護固定部品１８の正面図。
【図１９】保護固定部品１８の底面図。
【図２０】保護固定部品１８の側面図。
【図２１】専用吊り具４の正面図。
【図２２】専用吊り具４の底面図。
【図２３】専用吊り具４の側面図。
【００７８】
【図２４】専用吊り具５の正面図。
【図２５】専用吊り具５の底面図。
【図２６】専用吊り具５の側面図。
【図２７】専用吊り具６の正面図。ブロック６ａの穴Ｈ２が中央。
【図２８】専用吊り具６の正面図。ブロック６ａの穴Ｈ１が中央。
【図２９】専用吊り具６の正面図。ブロック６ａの穴Ｈ３が中央。
【００７９】
【図３０】吊り下げ補助部品７の正面図。
【図３１】吊り下げ補助部品７の底面図。
【図３２】吊り下げ補助部品７の側面図。
【図３３】カレンダーをセットした専用吊り具４。
【図３４】カレンダーをセットした専用吊り具５。
【図３５】カレンダー付補助部品７をセットした専用吊り具４。
【００８０】
【図３６】バインダー留め具カレンダーをセットした専用吊り具４。
【図３７】専用吊り具６用固定ピンの正面図。
【図３８】専用吊り具６用固定ピンの側面図。
【図３９】カレンダーをセットした専用吊り具６でハ‐ハ間の拡大断面図。
【図４０】実施例１カレンガー１ａの正面図。
【図４１】実施例２カレンガー１ｂの正面図。カレンダー紙面が折り返してある。
【００８１】
【図４２】折り返し空間板部材５５の正面図。
【図４３】折り返し空間板部材５５の側面図。
【図４４】実施例３カレンガー５９の正面図。
【図４５】実施例４カレンガー６９の正面図。
【図４６】カレンガー１０１の正面図。
【図４７】カレンガー１０１の背面図。
【００８２】
【図４８】カレンガー１０１の平面図。
【図４９】図４６ヘ‐ヘ間、図５３ト‐ト間の断面図。壁掛け部Ａを除く。
【図５０】右用スリーブ３２の正面図と側面図。
【図５１】左用スリーブ３２の側面図と正面図。
【図５２】カレンガー１０１の側面図。ストッパーとスリーブを除く。
【図５３】図４６ニ‐ニ間の拡大断面図。
【００８３】
【図５４】左右のストッパー６４の正面図。
【図５５】左右のストッパー６４の側面図。
【図５６】図４６のホ‐ホ間の拡大断面図。
【図５７】図６０のチ‐チ間の拡大断面図。
【図５８】図４６の拡大側面図。ストッパー６４とスリーブ３２を除く。
【図５９】図６０のリ‐リ間の拡大断面図。
【００８４】
【図６０】実施例５カレンガー１０１の正面図。
【図６１】実施例６カレンガー１０２の正面図。カレンダー紙面が折り返してある。
【図６２】実施例７カレンガー１０９の正面図。
【図６３】実施例８カレンガー１１９の正面図。
【図６４】飾り板用前固定板の正面図。
【図６５】飾り板用前固定板の平面図。
【００８５】
【図６６】飾り板用受け板の正面図。
【図６７】飾り板用受け板の平面図。
【図６８】飾り板用受け板の側面図。
【図６９】飾り板７７の正面図。
【図７０】飾り板７７の平面図。
【図７１】飾り板７７の側面図。
【００８６】
【図７２】専用吊り具７８の正面図。
【図７３】専用吊り具７８の平面図。
【図７４】専用吊り具７８の側面図。
【図７５】専用吊り具７８の拡大図。
【図７６】カレンダー８をセットした専用吊り具７８と６
【図７７】実施例９カレンガー１２９の正面図。
【図７８】カレンガー１２９ヌ‐ヌ間の断面図。
【符号の説明】
【００８７】
１      カレンガー本体
２Ａ    吊り下げ部Ｃの吊り下げ交換部品
２Ｂ    吊り下げ部Ｃの吊り下げ交換部品
３Ａ    吊り下げ部Ｃの吊り下げ交換部品
３Ｂ    吊り下げ部Ｃの吊り下げ交換部品
【００８８】
４      専用吊り具
５      専用吊り具
５ａ    専用吊り具５の固定ピン
６      専用吊り具
６ａ〜６ｄ  専用吊り具６の各ブロック部位
７      吊り下げ補助部品
８      金属留め具カレンダー
９      紙製留め具カレンダー
９ａ    カレンダー紙面の表
９ｂ    カレンダー紙面の裏
【００８９】
１ａ    実施例１カレンガー
１ｂ    実施例２カレンガー
５９    実施例３カレンガー
６９    実施例４カレンガー
１０１  実施例５カレンガー
１０２  実施例６カレンガー
１０９  実施例７カレンガー
１１９  実施例８カレンガー
１２９  実施例９カレンガー
【００９０】
１０    カレンガー本体１の壁掛け吊り具。
１１    カレンガー本体１の壁掛け部Ａの壁掛け板部材。
１２    カレンガー本体１の折り返し空間部Ｂの折り返し板部材。
１３    カレンガー本体１の吊り下げ部Ｃの吊り下げ板部材。
１４    壁掛け部Ａと折り返し空間部Ｂそして吊り下げ部Ｃを接合する木ネジ。
１５    折り返し板部材１２の上部の切り込み加工した部位。
１６    折り返し板部材１２の吊り下げ交換部品を接合する部位。
１７    折り返し板部材１２の折り返し板部材１３を接合する部位。
【００９１】
１８    吊り下げ交換部品２Ａ又は２Ｂの保護固定部品。
１９    吊り下げ交換部品の正面前側に位置する部位。
２０    吊り下げ交換部品の正面後側に位置する部位。
２１ａ  保護固定部品にセットした磁石。
２１ｂ  ストッパー３１にセットした磁石。
２２    吊り下げ支持部品。
２３    釘。
２４    釘を打ち付ける穴。
２５    吊り下げ支持部品。
【００９２】
２６    吊り下げ交換部品３Ａ又は３Ｂの丸く加工した部位。
２７    吊り下げ交換部品の正面前側に位置する部位。
２８    吊り下げ交換部品の正面後側の位置する部位。
２９    吊り下げ交換部品の専用吊り具をセットする空間。
３０    カレンダーを折り返しする折り返し空間。
３１    吊り下げ交換部品２Ａ又は２Ｂのストッパー。
３２    吊り下げ交換部品３Ａ又は３Ｂのスリーブ。
【００９３】
３３    保護固定部品１８の丸く加工した部位。
３４    保護固定部品１８の凸加工した部位。
３５    専用吊り具４の上部折り曲げた部位。
３６    専用吊り具４の下部折り曲げた部位。
３７    専用吊り具４の上部折り曲げた部位３５の空間。
３８    専用吊り具４の下部折り曲げた部位３６の空間。
【００９４】
３９〜４７  専用吊り具５の各部位。
４８〜５１  吊り下げ補助部品の各部位。
５２    装飾的な一枚のカレンダー又はホスター
５３    カレンダー留め具のバインダー
５４    バインダー留め具で留めてあるカレンダー
５５    折り返し空間板部材
５６〜５８  折り返し空間板部材５５の各部位。
【００９５】
６０    カレンガー５９の壁掛け部Ａの中央にあるリング。
６１    カレンガー５９の壁掛け部Ａの紐状。
６４    カレンガー１０１のストッパー。
６５    カレンガー１０１の木ネジ。
６６    スリーブ３２の切り込み加工した部位。
６７    カレンガー１０１のストッパー６４の穴加工した部位。
【００９６】
７０    カレンガー６９の壁掛け部Ａの中央にあるリング。
７１    カレンガー６９の壁掛け部Ａの鎖状。
７４    飾り板用固定前板。
７４ａ〜７４ｂ  飾り板用固定前板の左右部品。
７４ｃ〜７４ｄ  飾り板用固定前板の左右部品。
７５    飾り板７７の差込位置。
７６    飾り板用受け板
７７    飾り板
【００９７】
７８    専用吊り具
７９    専用吊り具７８の穴。
８０    専用吊り具７８の折り返し凸加工した部位。
１１０  カレンガー１０９の壁掛け部Ａの中央にあるリング。
１１１  カレンガー１０９の壁掛け部Ａの紐状。
１２０  カレンガー１１９の壁掛け部Ａの中央にあるリング。
１２１  カレンガー１１９の壁掛け部Ａの鎖状。
１３０  カレンガー１０９及び１１９の折り返し空間。
【００９８】
Ａ      カレンガー本体の壁掛け部
Ｂ      カレンガー本体の折り返し空間部
Ｃ      カレンガー本体の吊り下げ部
【００９９】
イ      図９の断面する部位
ロ      図１４の断面する部位
ハ      図２７の断面する部位
ニ      図４６の断面する部位
ホ      図４６の断面する部位
ヘ      図４６の断面する部位
ト      図５３の断面する部位
チ      図６０の断面する部位
リ      図６０の中央断面する部位
ヌ      図７７の断面する部位
【図１】
2007034698.tif 000002
【図２】
2007034698.tif 000003
【図３】
2007034698.tif 000004
【図４】
2007034698.tif 000005
【図５】
2007034698.tif 000006
【図６】
2007034698.tif 000007
【図７】
2007034698.tif 000008
【図８】
2007034698.tif 000009
【図９】
2007034698.tif 000010
【図１０】
2007034698.tif 000011
【図１１】
2007034698.tif 000012
【図１２】
2007034698.tif 000013
【図１３】
2007034698.tif 000014
【図１４】
2007034698.tif 000015
【図１５】
2007034698.tif 000016
【図１６】
2007034698.tif 000017
【図１７】
2007034698.tif 000018
【図１８】
2007034698.tif 000019
【図１９】
2007034698.tif 000020
【図２０】
2007034698.tif 000021
【図２１】
2007034698.tif 000022
【図２２】
2007034698.tif 000023
【図２３】
2007034698.tif 000024
【図２４】
2007034698.tif 000025
【図２５】
2007034698.tif 000026
【図２６】
2007034698.tif 000027
【図２７】
2007034698.tif 000028
【図２８】
2007034698.tif 000029
【図２９】
2007034698.tif 000030
【図３０】
2007034698.tif 000031
【図３１】
2007034698.tif 000032
【図３２】
2007034698.tif 000033
【図３３】
2007034698.tif 000034
【図３４】
2007034698.tif 000035
【図３５】
2007034698.tif 000036
【図３６】
2007034698.tif 000037
【図３７】
2007034698.tif 000038
【図３８】
2007034698.tif 000039
【図３９】
2007034698.tif 000040
【図４０】
2007034698.tif 000041
【図４１】
2007034698.tif 000042
【図４２】
2007034698.tif 000043
【図４３】
2007034698.tif 000044
【図４４】
2007034698.tif 000045
【図４５】
2007034698.tif 000046
【図４６】
2007034698.tif 000047
【図４７】
2007034698.tif 000048
【図４８】
2007034698.tif 000049
【図４９】
2007034698.tif 000050
【図５０】
2007034698.tif 000051
【図５１】
2007034698.tif 000052
【図５２】
2007034698.tif 000053
【図５３】
2007034698.tif 000054
【図５４】
2007034698.tif 000055
【図５５】
2007034698.tif 000056
【図５６】
2007034698.tif 000057
【図５７】
2007034698.tif 000058
【図５８】
2007034698.tif 000059
【図５９】
2007034698.tif 000060
【図６０】
2007034698.tif 000061
【図６１】
2007034698.tif 000062
【図６２】
2007034698.tif 000063
【図６３】
2007034698.tif 000064
【図６４】
2007034698.tif 000065
【図６５】
2007034698.tif 000066
【図６６】
2007034698.tif 000067
【図６７】
2007034698.tif 000068
【図６８】
2007034698.tif 000069
【図６９】
2007034698.tif 000070
【図７０】
2007034698.tif 000071
【図７１】
2007034698.tif 000072
【図７２】
2007034698.tif 000073
【図７３】
2007034698.tif 000074
【図７４】
2007034698.tif 000075
【図７５】
2007034698.tif 000076
【図７６】
2007034698.tif 000077
【図７７】
2007034698.tif 000078
【図７８】
2007034698.tif 000079
【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
「商品の月めくりカレンダー」を吊り下げるカレンダーハンガーである「カレンガー」（この名称は商標である）は、「壁掛け部Ａ」（図９）と「折り返し空間部Ｂ」（図９）そして「吊り下げ部Ｃ」から構成されている。「折り返し空間部Ｂ」に使用している「折り返し空間板部材１２」は縦に長方形の板材を中間位置に「木ネジ６５」を使用する幅を板厚のままで切り取り加工しない部位を残して正面上部に板厚の半分を切り取る加工（１５）をしてあり、背面下部に板厚の半分を切り取る加工（１７）をしてある。「壁掛け部Ａ」に使用している「壁掛け板部材１１」は横長の５角形の板材であり、長方形の板材の底面が平坦に、上部を山形に加工してある。その両端の背面は、「折り返し空間板部材１２」の正面の幅に板厚の半分を切り取る加工をしてある。この「壁掛け板部材１１」の板厚の半分を切り取る加工した部位と「折り返し空間板部材１２」の正面上部に板厚の半分を切り取る加工した部位（１５）を重ねあわせて両側に「木ネジ１４」で固定する。これで「壁掛け板部材１１」とその両端に「「折り返し空間板部材１２」が取り付けられた。「折り返し空間板部材１３」は長方形の板材に、「折り返し空間板部材１２」の背面下部に板厚の半分を切り取る加工（１７）をした幅と同じ幅の凸加工が両端にしてある。この板厚は「壁掛け板部材１１」の半分である。この「折り返し空間板部材１３」の凸加工した部位と「折り返し空間板部材１２」の背面下部に板厚の半分を切り取る加工した部位（１７）を重ね合わせて両側を「木ネジ１４」で固定する。これで「壁掛け板部材１１」と「折り返し空間板部材１２」と「折り返し空間板部材１３」が「木ネジ１４」で固定され組み立てられた。「壁掛け板部材１１」の上部の山形の頂点に「壁掛け吊り金具１０」を取り付けた。この状態の正面図が図１であり、背面図が図２である。「吊り下げ部Ｃ」に使用している「吊り下げ交換部品２Ａ」は、専用吊り具付きカレンダーを差し込んで吊り下げる部品である。五つの部品で構成されている。上部に乗っかっている「保護固定部品１８」は長方体の材料から加工してある。上部に半円の加工（３３）をして、下部面に凸加工（３４）をしてある。「交換部品ストッパー３１」の幅と同じ幅の凸加工（３４）であり、両側の「交換部品ストッパー３１」の内側に嵌め合いできる長さで横長の凸加工である。この下部面の凸加工（３４）が「専用吊り具付きカレンダー」を押さえることで外れなることがなくなる仕組みである。「部品１９と２０」は長方形の横長板財で長さは、吊り下げるカレンダーの横幅と「交換部品ストッパー３１」の長さにカレンダーを傷めない余裕の幅として両方に数ミリメートルの長さの加算した長さとなる。「交換部品ストッパー３１」の長さは、「折り返し空間板部材１２」より数ミリメートル長く加工してある。「交換部品ストッパー３１」は、立方体のブロックであり、カレンダーを吊り下げる部品の取り付け幅とカレンダーが吊り下がる空間を確保するための幅のブロック厚みのある加工がしてある。この「交換部品ストッパー３１」は「部品１９」と「部品２０」で挟み込むようにして両端に接着剤で固定する。これで「部品１９と２０」と「交換部品ストッパー３１」により空間（２９」ができた。この空間に「吊り下げ支持部品２２」を取り付ける。「吊り下げ支持部品２２」は、長方形で横長板材に板厚の３分の１、縦に３分の１の「切り欠き加工」がしてある。この「切り欠き加工」のところに「専用吊り具４」を掛けることになる。「吊り下げ支持部品２２」は「部品１９」の内側に「釘２３」で取り付けてある。「釘２３」は「部品２０」の「穴加工２４」を通して打ち付けてある。「吊り下げ交換部品２Ａ」としての組み立てができたので、「壁掛け板部材１１」と「吊り下げ空間部材１２」と「折り返し空間板部材１３」を組み立てた状態の正面（図１）の「折り返し空間板部材１２」の正面下部に「吊り下げ交換部品２Ａ」を取り付ける。「吊り下げ空間部材１２」の正面下部（部位１６）のところに「折り返し空間板部材２Ａ」の「部品２０」の外側を重ね合わせて「木ネジ１４」で両端を固定する。このことにより、「吊り下げ交換部品２Ａ」の「部品２０」の外側と「折り返し空間板部材１３」の間に、「折り返し空間板部材１２」の中央より下部の板厚の分だけの空間ができる。この空間がカレンダーを折り返すことができる空間となる。これで「カレンダーハンガー本体」の組み立てができた。これまでに記載した各部品により構成され、組み立てられている構造の「カレンダーハンガー本体」である。材料は、圧縮した硬い紙、木材、金属、プラスチック、塩化ビニール、セラミックスとする。
【請求項２】
「吊り下げ交換部品３Ａ」は、請求項１に記載の「吊り下げ交換部品２Ａ」と交換して取り付けることができる部品である。「吊り下げ交換部品３Ａ」は、四角材から加工して製作してあり、一体化した部品といえる。四角材の上部を半円に加工してある。中央から下部にカタカナ文字のコを縦にしたような切り込み凹加工がしてある。この切り込み凹加工のところに「吊り下げ支持部品２５」を「木ネジ２３」で取り付ける。「木ネジ２３」の打ち付けは、文字のコを縦に加工したことにより凸加工のようになった下部部位（２８）にある穴を通してとめてある。このような構造をした「吊り下げ交換部品３Ａ」である。「専用吊り具４」に「金属製留め具カレンダー８」を吊り下げた状態でセットできる。「吊り下げ交換部品３Ａ」は、交換できることを特徴とする請求項１に記載の「カレンガー」である。材料は、圧縮した硬い紙材、木材、金属、プラスチック、塩化ビニール、セラミックとする。
【請求項３】
「専用吊り具４」は、側面から見ると「Ｚ文字」のような形をしていてカレンダーを直接に掛けて吊り下げるものである。上下の両方に折り返しがある。しかし、その折り返しは「Ｚ文字」のようにお互いに反対側にある。下部側の折り返しの方が細く加工（３６）してある。上部側の折り返し（３５）は、「吊り下げ交換部品２Ａ」の「吊り下げ支持部品２２」の切り取る加工した部位に掛けてセットすることができる。「金属製留め具カレンダー８」や「バインダー留め具カレンダー（５３、５４）」を掛けて吊り下げることができる。この「専用吊り具４」は、「吊り下げ交換部品２Ａ」の「吊り下げ支持部品２２」と「吊り下げ交換部品３Ａ」の「吊り下げ支持部品２２」にセットできる。「専用吊り具４」はこのような特徴がある部品である。請求項１に記載の「カレンダーハンガー本体」に使用する付属部品である。材料は、圧縮した硬い紙材、木材、金属、プラスチック、塩化ビニール、セラミックとする。
【手続補正書】
【提出日】平成20年1月18日(2008.1.18)
【手続補正２】
【補正対象書類名】明細書
【補正対象項目名】技術分野段落番号０００１
【補正方法】変更
【補正の内容】
【技術分野】
【０００１】
本発明は、商品のカレンダー用ハンガーに関するものである。
【手続補正３】
【補正対象書類名】明細書
【補正対象項目名】発明を実施するための最良の形態段落番号００１６
【補正方法】変更
【補正の内容】
【発明を実施するための最良の形態】
【００１６】
以下、本発明の実施の形態を図１から図６３に基づいて説明する。また、本発明に使用する材料は、圧縮した硬い紙、木材、金属、プラスチック、塩化ビニール、セラミックスとする。
【国際調査報告】
2007034698.tif 000080
2007034698.tif 000081
2007034698.tif 000082
2007034698.tif 000083